【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
通常遊技状態と該通常遊技状態よりも遊技者に有利な特定遊技状態とにおいて遊技にかかる制御を実行可能な遊技機において、
遊技媒体を受け入れ可能な有利側始動口及び不利側始動口と、
前記有利側始動口及び前記不利側始動口のいずれかに遊技媒体が受け入れられたことに基づいて、所定の当選確率にて当りに当選しうる抽選処理をその実行条件が成立するまで待機させて保留状態とする遊技保留手段と、
前記実行条件が成立して前記保留状態が解除される抽選処理が前記有利側始動口への遊技媒体の受け入れに応じたものである場合、該抽選処理を、当りに当選したときの該当りの種別が当該遊技機として用意している当りの種別のうち最も多くの遊技媒体が獲得可能とされる特別当りに決定し易くされている有利側抽選処理として実行可能な有利側抽選手段と、
前記実行条件が成立して前記保留状態が解除される抽選処理が前記不利側始動口への遊技媒体の受け入れに応じたものである場合、該抽選処理を、当りに当選したときの該当りの種別が前記有利側抽選処理よりも前記特別当りに決定し難くされている不利側抽選処理として実行可能な不利側抽選手段と、
前記有利側抽選処理及び前記不利側抽選処理のうち、前記有利側抽選処理が保留状態とされる機会を増大させる制御を実行可能な保留機会増大制御手段と、
前記遊技保留手段により前記不利側抽選処理が保留状態とされているなかで前記有利側抽選処理が新たに保留状態とされた場合、それらの保留された順序にかかわらず、前記有利側抽選処理及び前記不利側抽選処理のうち、前記有利側抽選処理を先に消化させて、該有利側抽選処理よりも前記特別当りに決定し難くされている側である前記不利側抽選処理を後回しにする制御を実行可能な不利側後回し制御手段と
を備え、
前記特定遊技状態にあるとき、前記保留機会増大制御手段による制御と前記不利側後回し制御手段による制御とが相まって行われることで、前記特別当りに決定し難くされている側である前記不利側抽選処理の消化を抑制可能としたものであって、
さらに、
前記抽選処理の結果に応じた遊技情報が表示される遊技情報表示器と、
前記抽選処理が行われたとき、前記遊技情報表示器における表示とは別に、該抽選処理の結果に応じた演出表示にかかる制御を実行可能な演出表示制御手段と
を備え、
前記演出表示制御手段は、
前記有利側抽選処理及び前記不利側抽選処理のいずれが行われた場合であっても、それら抽選処理の両方に対応する兼用装飾図柄を用いて、該行われた抽選処理の結果についての表示演出が現れるように制御する兼用装飾図柄制御手段、
前記不利側抽選処理が行われた場合、前記兼用装飾図柄制御手段による前記兼用装飾図柄を用いた表示演出とは別に、不利側装飾図柄を変動表示させる制御を実行可能な不利側装飾図柄制御手段、及び
前記有利側抽選処理が行われた場合、前記兼用装飾図柄制御手段による前記兼用装飾図柄を用いた表示演出とは別に、有利側装飾図柄を変動表示させる制御を実行可能な有利側装飾図柄制御手段
を有することを特徴とする遊技機。
【請求項２】
前記不利側抽選処理は、前記不利側始動口への遊技媒体の受け入れに基づいて取得された乱数に基づいて行われる
請求項１に記載の遊技機。
【請求項３】
前記有利側抽選処理は、前記有利側始動口への遊技媒体の受け入れに基づいて取得された乱数に基づいて行われる
請求項１または２に記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
しかし、上記の遊技機であっても、特定の遊技状態における興趣を向上させることが困難となっていた。
【手続補正８】
【補正対象書類名】明細書
【補正対象項目名】００１２
【補正方法】変更
【補正の内容】
【００１２】
そこで、本発明は、上記の実状に鑑み、遊技意欲の低下を極力抑制することができる遊技機の提供を課題とするものである。
【手続補正９】
【補正対象書類名】明細書
【補正対象項目名】００１３
【補正方法】変更
【補正の内容】
【００１３】
手段１：通常遊技状態と該通常遊技状態よりも遊技者に有利な特定遊技状態とにおいて遊技にかかる制御を実行可能な遊技機において、
遊技媒体を受け入れ可能な有利側始動口及び不利側始動口と、
前記有利側始動口及び前記不利側始動口のいずれかに遊技媒体が受け入れられたことに基づいて、所定の当選確率にて当りに当選しうる抽選処理をその実行条件が成立するまで待機させて保留状態とする遊技保留手段と、
前記実行条件が成立して前記保留状態が解除される抽選処理が前記有利側始動口への遊技媒体の受け入れに応じたものである場合、該抽選処理を、当りに当選したときの該当りの種別が当該遊技機として用意している当りの種別のうち最も多くの遊技媒体が獲得可能とされる特別当りに決定し易くされている有利側抽選処理として実行可能な有利側抽選手段と、
前記実行条件が成立して前記保留状態が解除される抽選処理が前記不利側始動口への遊技媒体の受け入れに応じたものである場合、該抽選処理を、当りに当選したときの該当りの種別が前記有利側抽選処理よりも前記特別当りに決定し難くされている不利側抽選処理として実行可能な不利側抽選手段と、
前記有利側抽選処理及び前記不利側抽選処理のうち、前記有利側抽選処理が保留状態とされる機会を増大させる制御を実行可能な保留機会増大制御手段と、
前記遊技保留手段により前記不利側抽選処理が保留状態とされているなかで前記有利側抽選処理が新たに保留状態とされた場合、それらの保留された順序にかかわらず、前記有利側抽選処理及び前記不利側抽選処理のうち、前記有利側抽選処理を先に消化させて、該有利側抽選処理よりも前記特別当りに決定し難くされている側である前記不利側抽選処理を後回しにする制御を実行可能な不利側後回し制御手段と
を備え、
前記特定遊技状態にあるとき、前記保留機会増大制御手段による制御と前記不利側後回し制御手段による制御とが相まって行われることで、前記特別当りに決定し難くされている側である前記不利側抽選処理の消化を抑制可能としたものであって、
さらに、
前記抽選処理の結果に応じた遊技情報が表示される遊技情報表示器と、
前記抽選処理が行われたとき、前記遊技情報表示器における表示とは別に、該抽選処理の結果に応じた演出表示にかかる制御を実行可能な演出表示制御手段と
を備え、
前記演出表示制御手段は、
前記有利側抽選処理及び前記不利側抽選処理のいずれが行われた場合であっても、それら抽選処理の両方に対応する兼用装飾図柄を用いて、該行われた抽選処理の結果についての表示演出が現れるように制御する兼用装飾図柄制御手段、
前記不利側抽選処理が行われた場合、前記兼用装飾図柄制御手段による前記兼用装飾図柄を用いた表示演出とは別に、不利側装飾図柄を変動表示させる制御を実行可能な不利側装飾図柄制御手段、及び
前記有利側抽選処理が行われた場合、前記兼用装飾図柄制御手段による前記兼用装飾図柄を用いた表示演出とは別に、有利側装飾図柄を変動表示させる制御を実行可能な有利側装飾図柄制御手段
を有することを特徴とする遊技機。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】００８３
【補正方法】削除
【補正の内容】
【手続補正８０】
【補正対象書類名】明細書
【補正対象項目名】００８４
【補正方法】削除
【補正の内容】
【手続補正８１】
【補正対象書類名】明細書
【補正対象項目名】００８５
【補正方法】削除
【補正の内容】
【手続補正８２】
【補正対象書類名】明細書
【補正対象項目名】００８６
【補正方法】削除
【補正の内容】
【手続補正８３】
【補正対象書類名】明細書
【補正対象項目名】００８７
【補正方法】削除
【補正の内容】
【手続補正８４】
【補正対象書類名】明細書
【補正対象項目名】００８８
【補正方法】削除
【補正の内容】
【手続補正８５】
【補正対象書類名】明細書
【補正対象項目名】００８９
【補正方法】削除
【補正の内容】
【手続補正８６】
【補正対象書類名】明細書
【補正対象項目名】００９０
【補正方法】削除
【補正の内容】
【手続補正８７】
【補正対象書類名】明細書
【補正対象項目名】００９１
【補正方法】削除
【補正の内容】
【手続補正８８】
【補正対象書類名】明細書
【補正対象項目名】００９２
【補正方法】変更
【補正の内容】
【００９２】
このように、本発明では、遊技意欲の低下を極力抑制することができる。